(57)【要約】【課題】各色成分のインクから減法混色により再現される画像における色再現域の拡張を図る。【解決手段】互いに色相が異なる各色成分のインクから減法混色により画像を形成する画像形成方法であって、いずれか１つの色成分を示す非蛍光着色液に対し、当該非蛍光着色液と同一色相に属する蛍光着色液を配合することにより得られ、非蛍光着色液より分光反射率が高い色成分のインクを用いる。【選択図】  図７
2004291508.tif 000002
【特許請求の範囲】
【請求項１】
互いに色相が異なる各色成分の記録剤から減法混色により画像を形成する画像形成方法であって、
いずれか１つの色成分を示す第１の着色剤に対して第１の着色剤と同一色相に属する第２の着色剤を配合することにより得られると共に、第１の着色剤より分光反射率が高い色成分の記録剤を用いることを特徴とする画像形成方法。
【請求項２】
減法混色により色を再現するために用いられる色成分の記録剤であって、
上記色成分を示す第１の着色剤と、第１の着色剤と同一色相に属する第２の着色剤とを主成分とし、第１の着色剤より分光反射率が高いことを特徴とする記録剤。
【請求項３】
第１の着色剤は、非蛍光着色剤である一方、第２の着色剤は、蛍光着色剤であることを特徴とする請求項２に記載の記録剤。
【請求項４】
第１の着色剤の分光反射率をＲｏ、第２の着色剤の分光反射率をＲｆ、第１の着色剤と第２の着色剤とを配合して得られる記録剤の分光反射率をＲｍとした場合、上記記録剤にしめる第２の着色剤の配合比率ｘは、
Ｒｍ＝（１−ｘｙ）Ｒｏ＋ｘｙＲｆ  （ｙは、所定の定数かつ正の実数）
より導かれることを特徴とする請求項２または３に記載の記録剤。
【請求項５】
上記所定の正の実数であるｙは、２≦ｙ≦３であることを特徴とする請求項４に記載の記録剤。
【請求項６】
互いに色相が異なる各色成分の記録剤を備え、減法混色によりこれらの記録剤を用いて、記録媒体上に画像を形成する画像形成装置であって、
それぞれ異なる吐出口から記録剤を吐出するヘッド部を複数備え、いずれか１の色成分を示す第１の着色剤と、該第１の着色剤と同一色相に属する第２の着色剤とを上記ヘッド部より吐出して、上記第１の着色剤と上記第２の着色剤とを記録媒体上で混合することにより、上記第１の着色剤より分光反射率の高い色成分が生成されることを特徴とする画像形成装置。
【請求項７】
上記第１の着色剤と第２の着色剤とは、記録媒体上のほぼ同一位置に付着するように吐出されることを特徴とする請求項６に記載の画像形成装置。
【請求項８】
上記第１の着色剤と第２の着色剤とは、記録媒体上の互いに近接する位置に付着するように、上記ヘッド部より吐出されることを特徴とする請求項６に記載の画像形成装置。
【請求項９】
請求項２ないし５のいずれか１項に記載の記録剤を備えた画像形成装置。
【発明の詳細な説明】
【０００１】
【発明の属する技術分野】
本発明は、複写機やプリンタなどにおいて、画像を再現するための画像形成方法、記録剤、および画像形成装置に関するものである。
【０００２】
【従来の技術】
一般的に、複写機やプリンタなどで、減法混色に基づいてペーパー等に記録された画像は、ディスプレイなどにより加法混色に基づいて出力された画像よりも色再現域が狭い。そこで、減法混色に基づいて画像を出力する画像処理の技術分野においては、色再現域の拡張および色相の改良のため、さまざまな色材の探索や蛍光物質の使用の検討がなされている。
【０００３】
上述した色再現域の拡張および色相の改良を実現する技術として、例えば、特許文献１に開示されているカラー画像形成方法がある。特許文献１に記載のカラー画像形成方法によれば、減法混色に基づいて形成されるハードコピーにおいて、各色成分のインクに蛍光物質を添加して色補正することにより、色再現域を広げたり、色相を改良している。特許文献１によれば、これにより、減法混色に基づいて形成されるハードコピーであっても、加法混色に基づいてＣＲＴ（ｃａｔｈｏｄｅ−ｒａｙ  ｔｕｂｅ）から出力する画像や液晶パネルから出力する画像に近い色再現を行えるものとされている。
【０００４】
より詳細に説明すると、カラー画像形成方法に用いられる色成分のインクに対して、例えば、発光特性を有する蛍光物質を加えるなどして加法混色を行う。これにより、上記色成分のインクが示す副吸収をキャンセルできるというものである。特許文献１によれば、このようにして、蛍光物質が添加された色成分のインクを用いて減法混色を行うと、色再現域を広げることができるとされている。
【０００５】
また、上記色補正とは、特許文献１の段落〔００１１〕に記載されているように、色素の吸光度，吸収波形，半価幅，吸収ピーク，色純度，明度，彩度のうちの少なくとも一つを変化させるものである。すなわち、特許文献１によれば、各色成分のインクにおける色素の吸光度等を変化させることによる色補正を目的としている。
【０００６】
さらに、特許文献１によれば、色成分のインクに添加される蛍光物質の量は、色成分のインクに蛍光物質を添加した後の吸収波形の任意の点で吸収強度の−０．３の線を下回らない量または比率（例えば、実施例によれば混合比率５％程度まで）で混合することが好ましいとされている。この理由として、特許文献１によれば、上記色成分のインクから生じる蛍光感を抑制し、上記色補正と異なる効果が生じるのを防止するためとされている。
【０００７】
【特許文献１】
特開２０００−１８１１７０号公報（公開日：２０００年６月３０日）
【０００８】
【発明が解決しようとする課題】
しかしながら、上記色成分のインクに蛍光インクを添加することにより、蛍光感が生じたとしても、画質の劣化につながらず、むしろ、蛍光インクの特性である鮮やかさが強調されることにより、品質の良好な画像を出力できることがある。また、色成分のインクに対しての蛍光物質の添加比率が５％程度であれば、色成分のインクの副吸収をキャンセルするのは実質的に困難な上、色成分のインクの色相，明度，彩度はほとんど変化せず、上記色補正の目的を達成できないばかりか、色再現域を拡張するのも困難である。
【０００９】
そこで、本発明は、減法混色に基づいて色を再現するために用いられる色成分の記録剤（インク）に対し、上記色成分の記録剤と異なる着色剤を添加させることにより、上記記録剤から再現される画像における色再現域の拡張を図ることが可能な画像形成方法、記録剤、および画像形成装置を提供することにある。
【００１０】
【課題を解決するための手段】
本発明の画像形成方法は、上記課題を解決するために、互いに色相が異なる各色成分の記録剤から減法混色により画像を形成する画像形成方法であって、いずれか１つの色成分を示す第１の着色剤に対し、第１の着色剤と同一色相に属する第２の着色剤を配合することにより得られ、第１の着色剤より分光反射率が高い色成分の記録剤を用いることを特徴とする。
【００１１】
ここで、記録剤とは、用紙等に画像を形成するために用いられるインク、トナー、液体染料、塗料、顔料を分散した液体等をいう。また、色相とは、例えば、色度図において、所定の色相角度範囲ごとで区別される色の種類（赤・黄・青などのように夫々区別される色あい）やＬ＊ａ＊ｂ＊表色系において色度ａ＊ｂ＊より計算される値をいう。なお、色相角度とは、マンセル色相環または色度図やＬ＊ａ＊ｂ＊表色系において、ある色を示す方向と基準色を示す方向との角度をいう。
【００１２】
上記手順によれば、上記記録剤は、減法混色におけるいずれか１の色成分を示す第１の着色剤に対し、第１の着色剤と同一色相に属する第２の着色剤を配合することにより得られるものである。さらに、上記記録剤は、第１の着色剤より分光反射率が高い。よって、減法混色における各色成分として上記記録剤を使用すれば、第１の着色剤よりも明度や彩度の高い色を再現でき、色再現域を拡張させることができる。
【００１３】
ここで、上記記録剤の分光反射率が第１の着色剤の分光反射率より高いと、上記記録剤の彩度が第１の着色剤の彩度よりも高くなる理由について説明する。
【００１４】
人が色をどのように知覚するかは、下記の三刺激値ＸＹＺにより表される。
【００１５】
【数１】
2004291508.tif 000003
【００１６】
なお、分光立体角反射率としてのＲ（λ）は、ここでは上記記録剤の分光反射率とする。
【００１７】
また、ＣＩＥ１９７６Ｌ＊ａ＊ｂ＊表色系（ＣＩＥ：Ｃｏｍｍｉｓｓｉｏｎ  Ｉｎｔｅｒｎａｔｉｏｎａｌｅ  ｄｅ  ｌ’Ｅｃｌａｉｒａｇｅ：国際照明委員会。Ｌ＊：明度、ａ＊・ｂ＊：色度）のＬ＊，ａ＊，ｂ＊は上記三刺激値ＸＹＺと次の式により関係付けられる。
【００１８】
【数２】
2004291508.tif 000004
【００１９】
ここで、上記記録剤の分光反射率が第１の着色剤の分光反射率より高くなった場合を想定する。つまり、Ｒ（λ）の値が大きくなると、三刺激値ＸＹＺは夫々大きくなるので、明度Ｌ＊は高くなる傾向を示す。彩度は、ＸＹＺの大小関係に依存する。そこで、シアン・マゼンタ・イエローの分光反射率よりＸＹＺの大小関係を考えると、
シアン：Ｚ＞Ｘ≧Ｙ，マゼンタ：Ｘ＞Ｚ＞Ｙ，イエロー：Ｘ≒Ｙ＞Ｚ
と推定される。したがって、Ｒ（λ）の値が大きくなると、色度ａ＊・ｂ＊は何れも大きくなり、彩度も高くなると推定される。
【００２０】
なお、上記手順において、第２の着色剤の配合比率は任意であり、同一色相の範囲内で複数色あいの色成分を設定している。この点、特許文献１の技術によれば、混合比率を高くすると色再現域の増加は小さくなっており（特許文献１の〔００６５〕参照）、上述したような色再現域の拡張は困難なものと考えられる。
【００２１】
また、特許文献１によれば、減法混色に用いられる色成分の通常インクに対し、上記通常インクと反射率ピークの存在する波長領域が重複する蛍光物質を添加することで、反射率ピークにおける副吸収成分をキャンセルし、減法混色により色再現を行う場合の色再現域の拡大を図っている。しかし、「上記通常インクと反射率ピークの存在する波長領域が重複する蛍光物質」には、上記通常インクと異なる色相に属する蛍光物質も含まれるため、特許文献１の技術によれば、通常インクに蛍光物質を添加することで、通常インクの色相が変化するという問題が生じる。したがって、減法混色における色成分の通常インクにおいて、同一色相の範囲を保持できなくなり、減法混色により再現される画像の質が劣化するという懸念が生じる。一方、上記構成によれば、第１の着色剤と第２の着色剤とは同一色相であるため、そのような懸念は生じない。
【００２２】
本発明の記録剤は、上記課題を解決するために、減法混色により色を再現するために用いられる色成分の記録剤であって、上記色成分を示す第１の着色剤と、第１の着色剤と同一色相に属する第２の着色剤とを主成分とし、第１の着色剤より分光反射率が高いことを特徴とする。
【００２３】
上記構成によれば、上記記録剤は、減法混色におけるいずれか１の色成分を示す第１の着色剤と、第１の着色剤と同一色相に属する第２の着色剤とを主成分としている。さらに、上記記録剤は、第１の着色剤より分光反射率が高い。したがって、上記記録剤は、第１の着色剤と同一範囲の色相に属しつつ、第１の着色剤よりも明度および／または彩度が高くなる。言い換えると、第１の着色剤と第２の着色剤とを主成分とする記録剤は、第１の着色剤と同一範囲の色相でありつつ、第１の着色剤のみから再現できないような高い明度や彩度の色を再現できる。
【００２４】
よって、減法混色における色成分として上記記録剤を使用すれば、第１の着色剤と、第１の着色剤と異なる色成分の着色剤とからでは再現できないような高い明度や彩度の色を再現でき、色再現域を拡張させることができる。
【００２５】
本発明の記録剤は、上記構成に加えて、第１の着色剤は、非蛍光着色剤である一方、第２の着色剤は、蛍光着色剤であることを特徴とする。
【００２６】
上記構成によれば、非蛍光着色剤に蛍光着色剤を配合することとなるので、蛍光着色剤の発光成分により、非蛍光着色剤の副吸収成分（不要な吸収・透過成分）が抑制され、上記記録剤の分光反射率は、第１の着色剤の分光反射率よりも高いものとなる。
【００２７】
また、蛍光着色剤は、非蛍光着色剤と比較して明るく鮮やかな色調を表現できる。したがって、非蛍光着色剤に対し、該非蛍光着色剤と同一色相の範囲内の蛍光着色剤を配合することで得られる記録剤は、第１の着色剤と同一範囲の色相でありつつ、蛍光の特性である明るさや鮮やかさが強調されるものとなる。したがって、上記構成による記録剤を用いて減法混色により色を再現する場合、非蛍光着色剤のみの減法混色では再現することができない明るい色や鮮やかな色を再現することが可能となる。例えば、スキャナなどの画像入力装置により読み込まれた画像データに基づいて画像を出力する画像出力装置において、非蛍光着色剤のみから画像を出力すれば、入力画像の彩度が飽和してしまう画像データに対し、非蛍光着色剤に蛍光着色剤を配合した記録剤を適用すれば、入力画像により近い色調を表現できる。
【００２８】
本発明の記録剤は、上記構成に加えて、第１の着色剤の分光反射率をＲｏ、第２の着色剤の分光反射率をＲｆ、第１の着色剤と第２の着色剤とを配合して得られる記録剤の分光反射率をＲｍとした場合、上記記録剤にしめる第２の着色剤の配合比率ｘは、Ｒｍ＝（１−ｘｙ）Ｒｏ＋ｘｙＲｆ  （ｙは、所定の定数かつ正の実数）より導かれることを特徴とする。
【００２９】
ここで、分光反射率と三刺激値ＸＹＺとは、上記したように式（１０１）〜（１０３）で関係付けられる。また、Ｌ＊，ａ＊，ｂ＊の値と三刺激値ＸＹＺとは式（１０５）〜（１０７）で関係付けられる。
【００３０】
ここで、目標とする記録剤の色のＬ＊，ａ＊，ｂ＊の値（目標値）を予め定めておく。
【００３１】
一方、第１の着色剤の分光反射率および、第２の着色剤の分光反射率は、予め、計測することが可能である。したがって、第２の着色剤の配合比率を任意に設定して得られる記録剤の分光反射率をＲｍ＝（１−ｘｙ）Ｒｏ＋ｘｙＲｆにより演算する。さらに、上記演算して得られた分光反射率を式（１０１）〜（１０３）のＲ（λ）に代入して、式（１０５）〜（１０７）を演算すると、第２の着色剤との配合比率を任意に設定して得られる記録剤のＬ＊，ａ＊，ｂ＊の値を得ることができる。
【００３２】
さらに、第２の着色剤との配合比率を適当に設定して得られる記録剤のＬ＊，ａ＊，ｂ＊の値が上記目標の記録剤の色に近づくまで（例えば、色差が極小）、第２の着色剤の配合比率の変更および演算を繰り返すことにより、適切な配合比率を求めることができる。
【００３３】
なお、この時、式（１０１）〜（１０３）におけるＳ（λ）としては、例えば標準光源の分光分布を用いる。このように、実際に着色剤を用いて混合し出力したい色を確認する必要はなく、Ｒｍ＝（１−ｘｙ）Ｒｏ＋ｘｙＲｆの演算により、上記記録剤にしめる第２の着色剤の配合比率ｘを簡単に求めることができる。
【００３４】
本発明の記録剤は、上記構成に加えて、上記所定の正の実数であるｙは、２≦ｙ≦３であることを特徴とする。
【００３５】
上記記録剤の分光反射率をＲｍ＝（１−ｘｙ）Ｒｏ＋ｘｙＲｆの演算により求める際、所定の正の実数であるｙの値を２≦ｙ≦３とする。これにより、上記演算により求められた分光反射率Ｒｍに基づいて計算される色（Ｌ＊，ａ＊，ｂ＊の演算結果）と、上記演算に用いた配合比率で得られる記録剤の現実の色（Ｌ＊，ａ＊，ｂ＊の測定結果）との差を小さくすることができる。すなわち、ｙの値を２≦ｙ≦３とすることにより、Ｒｍ＝（１−ｘｙ）Ｒｏ＋ｘｙＲｆにより決定される配合比率に基づいて演算される記録剤のＬ＊，ａ＊，ｂ＊値を、上記記録剤の現実の色に近づけることができる。
【００３６】
本発明の画像形成装置は、上記課題を解決するために、互いに色相が異なる各色成分の記録剤を備え、減法混色によりこれらの記録剤を用いて、記録媒体上に画像を形成する画像形成装置であって、それぞれ異なる吐出口から記録剤を吐出するヘッド部を複数備え、いずれか１の色成分を示す第１の着色剤と、該第１の着色剤と同一色相に属する第２の着色剤とを上記ヘッド部より吐出して、第１の着色剤と第２の着色剤とを記録媒体上で混合することにより、第１の着色剤より分光反射率の高い色成分が生成されることを特徴とする。
【００３７】
上記構成によれば、減法混色におけるいずれか１の色成分を示す第１の着色剤と、該第１の着色剤と同一色相に属する第２の着色剤とを、それぞれ異なる吐出口から吐出するヘッド部が複数備えられている。したがって、上記ヘッド部より吐出される第１の着色剤と第２の着色剤とを、記録媒体上の同一位置または近接する位置に付着させることができる。これにより、第１の着色剤と該第１の着色剤と同一色相に属する第２の着色剤とを記録媒体上で混合させることができ、第１の着色剤と同一色相に属する色成分を生成することができる。
【００３８】
さらに、第１の着色剤と同一色相に属する第２の着色剤を定まった比率で配合し記録剤として用いるので、表現される色は決まっている。一方、第１の着色剤と第２の着色剤をヘッド部に備え、記録媒体上で混合すれば、任意の比率で混合することができ、より広く色を表現することが可能になる。
【００３９】
よって、上記画像形成装置により、減法混色における色再現を行えば、第１の着色剤からでは再現できないような高い明度や彩度の色を再現でき、色再現域を拡張させることができる。さらに、第１の着色剤と第２の着色剤を定まった比率で配合した記録剤を用いて画像形成を行う場合よりも、任意の比率で混合することができ、より広く色を表現することが可能となる。
【００４０】
本発明の画像形成装置は、上記構成に加えて、上記第１の着色剤と第２の着色剤とは、記録媒体上のほぼ同一位置に付着するように吐出されることを特徴とする。
【００４１】
上記構成によれば、第１の着色剤と第２の着色剤とを同一位置に付着させているので、第１の着色剤と第２の着色剤とを当該位置で混合させることにより、第１の着色剤と同一色相の範囲内かつ第１の着色剤より分光反射率の高い色成分を生成することができる。さらに、任意の比率で混合させることができるので、多くの色を表現することができる。
【００４２】
本発明の画像形成装置は、上記構成に加えて、上記第１の着色剤と第２の着色剤とは、記録媒体上の互いに近接する位置に付着するように、上記ヘッド部より吐出されることを特徴とする請求項６に記載の画像形成装置。
【００４３】
上記構成によれば、第１の着色剤と第２の着色剤とは、記録媒体上の互いに近接する位置に付着される。これにより、第１の着色剤と第２の着色剤とを面積諧調により表現することができ、第１の着色剤より分光反射率の高い色成分を生成できる。さらに、任意の比率で近接させて付着させることができるので、多くの色を表現することができる。
【００４４】
本発明の画像形成装置は、上記構成に加えて、上記記録剤を備えたことを特徴とする。
【００４５】
上記画像形成装置では、事前に、第１の着色剤と同一色相に属する第２の着色剤を定まった比率で配合し記録剤として用いるので、表現される色は決まっている。一方、第１の着色剤と第２の着色剤をヘッド部に備え、記録媒体上で混合すれば、任意の比率で混合することができ、より広く色を表現することが可能になる。
【００４６】
【発明の実施の形態】
〔実施の形態１〕
本発明は、減法混色に基づいて色を再現するために用いられる色成分の記録剤に関するものであって、上記色成分の記録剤は、該色成分を示す第１の着色剤と、第１の着色剤と同一色相の範囲内である第２の着色剤とを配合することにより得ることができる。
【００４７】
ここで、記録剤とは、記録媒体に画像を形成するために用いられるインク，トナー、液体染料、塗料、顔料を分散した液体等をいう。また、ここでの色相とは、色度図において、所定の色相角度範囲ごとで区別される色の種類やＬ＊ａ＊ｂ＊表色系において色度ａ＊ｂ＊より計算される値をいう。なお、色相角度とは、マンセル色相環または色度図やＬ＊ａ＊ｂ＊表色系において、ある色を示す方向と基準色を示す方向との角度をいう。さらに、ここでの記録媒体とは、プリンタ、複写機等の画像出力装置によって画像を記録、再現するために用いられる記録用紙等をいう。
【００４８】
本発明の実施の一形態について図に基づいて説明すると以下のとおりである。まず、本実施の形態の画像形成方法が実行されるデジタルカラー複写機の概要を説明する。上記デジタルカラー複写機は、複写機・複合機として機能するものである。このデジタルカラー複写機は、例えば図１３に示すように、カラー画像入力装置２，カラー画像処理装置３，カラー画像出力装置４を備えている。そして、デジタルカラー複写機１は、カラー画像入力装置２から入力し、カラー画像処理装置３において処理されたデジタル画像データに基づいて、画像出力装置４によって印刷を行う。
【００４９】
カラー画像入力装置２（以下、「画像入力装置２」とする）は、例えばＣＣＤ（Ｃｈａｒｇｅ  Ｃｏｕｐｌｅｄ  Ｄｅｖｉｃｅ  ）を備えたスキャナ部より構成され、原稿からの反射光像を、Ｒ（Ｒｅｄ：赤），Ｇ（Ｇｒｅｅｎ：緑）Ｂ（Ｂｌｕｅ：青）成分のアナログ信号としてＣＣＤにて読み取って、上記アナログ信号をカラー画像処理装置３に入力するものである。
【００５０】
カラー画像処理装置３（以下、「画像処理装置３」とする）は、図１３に示すように、Ａ／Ｄ変換部１０、シェーディング補正部１１、入力階調補正部１２、領域分離処理部１３、色補正部１４、黒生成下色除去部１５、空間フィルタ処理部１６、出力階調補正部１７、階調再現処理部１８、および出力変換部１９を備えている。これに、画像入力装置２とカラー画像出力装置４とが接続され、全体としてデジタルカラー複写機１を構成している。
【００５１】
画像入力装置２にて読み取られたアナログ信号は、Ａ／Ｄ変換部１０によってデジタル画像データに変換されると共に、上記デジタル画像データは、シェーディング補正部１１，入力階調補正部１２，領域分離処理部１３，色補正部１４，黒生成下色除去部１５，空間フィルタ処理部１６，出力階調補正部１７，階調再現処理部１８，出力変換部１９の順で送られ、Ｃ（Ｃｙａｎ：シアン），Ｍ（Ｍａｇｅｎｔａ：マゼンタ），Ｙ（Ｙｅｌｌｏｗ：黄色），Ｋ（黒）成分などのデジタル画像データとして、カラー画像出力装置４へ出力する。なお、画像処理装置３の詳細な構成については、後に詳述する。
【００５２】
カラー画像出力装置４（以下、「画像出力装置４」とする）は、画像処理装置３から送られてきたＣ，Ｍ，Ｙ，Ｋ成分などのデジタル画像データに基づいて、記録媒体としてのペーパー上にカラー画像を再現するインクジェット方式のプリンタである。なお、画像出力装置４の具体的構成については詳述する。
【００５３】
Ａ／Ｄ（Ａｎａｌｏｇ  ｔｏ  Ｄｉｇｉｔａｌ）変換部１０は、Ｒ，Ｇ，Ｂのアナログ信号に対して標本化および量子化を行うことにより、Ｒ，Ｇ，Ｂのデジタル画像データを生成し、上記デジタル画像データをシェーディング補正部１１へ出力するブロックである。
【００５４】
シェーディング補正部１１は、Ａ／Ｄ変換部１０より送られてきたＲ，Ｇ，Ｂのデジタル画像データに対して、画像入力装置２の照明系、結像系、撮像系で生じる各種の歪みを取り除くためのシェーディング補正処理を施すブロックである。なお、シェーディング補正処理がなされたＲ，Ｇ，Ｂのデジタル画像データは、入力階調補正部１２へ出力される。
【００５５】
入力階調補正部１２は、シェーディング補正部１１にて各種の歪みが取り除かれたＲ，Ｇ，Ｂのデジタル画像データに対し、カラーバランスを整える処理を施すと共に、カラー画像処理装置３に採用されている画像処理システムの扱い易い信号に変換する処理を施すものである。この変換処理として、例えば、反射率信号から濃度信号へ変換する処理があげられる。
【００５６】
領域分離処理部１３は、入力階調補正部１２から送られてきたＲ，Ｇ，Ｂのデジタル画像データより、入力画像中の各画素が文字領域、網点領域、写真領域の何れかに属するかを識別するブロックである。さらに、領域分離処理部１３は、分離結果に基づき、各画素がいずれの領域に属しているかを示す領域識別信号を、色補正部１４、黒生成下色除去部１５、空間フィルタ処理部１６、および階調再現処理部１８へ送信すると共に、入力階調補正部１２から入力したＲ，Ｇ，Ｂのデジタル画像データをそのまま後段の色補正部１４へ出力する。
【００５７】
色補正部１４は、領域分離処理部１３から送られてきたＲ，Ｇ，Ｂのデジタル画像データを、Ｃ，Ｍ，Ｙのデジタル画像データへ変換すると共に、色再現の忠実化実現のために、不要吸収成分を含むＣ，Ｍ，Ｙ色材の分光特性に基づいた色濁りを取り除く色補正処理を行うブロックである。
【００５８】
なお、色補正部１４は、Ｒ，Ｇ，Ｂのデジタル画像データより明度や彩度を求めて、上記明度や彩度と予め定められる閾値とを比較し、比較結果を色判定信号として出力変換部１９に出力するようにしても良い。出力変換部１９では、色判定信号に基づいて、非蛍光着色液の使用または非蛍光着色液に蛍光着色液を配合した記録剤の使用の選択がなされるようにしてもよい。ここで、明度や輝度、彩度を算出する方法としては、例えば、下記の式を用いれば良い。
輝度＝０．３０Ｒ＋０．５９Ｇ＋０．１１Ｂ
彩度＝ｍａｘ（Ｒ，Ｇ，Ｂ）−ｍｉｎ（Ｒ，Ｇ，Ｂ）
あるいは、Ｒ，Ｇ，Ｂのデジタル画像データをＬ＊ａ＊ｂ＊表色系の画像データに変換し明度・彩度を求めても良い。尚、この処理は必ずしも色補正部１４に設ける必要はない。
【００５９】
黒生成下色除去部１５は、色補正部１４から送られてきたＣ，Ｍ，Ｙのデジタル画像データから黒色成分（Ｋ）のデジタル画像データを生成する黒生成処理を行う。そして、黒生成下色除去部１５は、元のＣ，Ｍ，Ｙのデジタル画像データから、黒生成処理で得たＫデータを差し引いて新たなＣ，Ｍ，Ｙのデジタル画像データを生成する処理を行うブロックである。つまり、黒生成下色除去部１５では、Ｃ，Ｍ，Ｙのデジタル画像データ（すなわち、３色データ）が、Ｃ，Ｍ，Ｙ，Ｋのデジタル画像データ（すなわち、４色データ）に変換される。
【００６０】
黒生成処理の一例として、スケルトンブラックによる黒生成を行う方法（一般的方法）がある。この方法では、スケルトンカーブの入出力特性をｙ＝ｆ（ｘ）、入力されるデータをＣ，Ｍ，Ｙ，出力されるデータをＣ’，Ｍ’，Ｙ’，Ｋ’、ＵＣＲ（Ｕｎｄｅｒ  Ｃｏｌｏｒ  Ｒｅｍｏｖａｌ）率をα（０＜α＜１）とすると、黒生成下色除去処理は以下の式（１）〜（４）で表される。
Ｋ’＝ｆ｛ｍｉｎ（Ｃ，Ｍ，Ｙ）｝      …（１）
Ｃ’＝Ｃ−αＫ’                  …（２）
Ｍ’＝Ｍ−αＫ’                  …（３）
Ｙ’＝Ｙ−αＫ’                  …（４）
空間フィルタ処理部１６は、領域分離処理部１３から送られてきた領域識別信号を基に、黒生成下色除去部１５から送られてくるＣ，Ｍ，Ｙ，Ｋのデジタル画像データに対して、デジタルフィルタによる空間フィルタ処理を行うブロックである。これにより、Ｃ，Ｍ，Ｙ，Ｋのデジタル画像データの空間周波数特性を補正することができ、出力画像のぼやけや粒状性劣化を防ぐ処理をすることができる。
【００６１】
例えば、領域分離処理部１３にて文字領域と識別された画素に対して、上記空間フィルタ処理における鮮鋭度強調処理で、高周波数のデータが強調される。これにより、出力画像において、特に黒文字或いは色文字の再現性を高めることができる。また、領域分離処理部１３にて網点領域と識別された画素に対しては、空間フィルタ処理部１６において、ローパス・フィルタ処理が施され、入力画像の網点成分が除去される。
【００６２】
出力階調補正部１７は、Ｃ，Ｍ，Ｙ，Ｋのデジタル画像データから導出される濃度データ等を、例えばインクジェット記録装置の特性値である網点面積率に変換する出力階調補正処理を行うブロックである。
【００６３】
階調再現処理部１８は、出力階調補正部１７より送信されるＣ，Ｍ，Ｙ，Ｋのデジタル画像データに対して、最終的に画像を画素に分離してそれぞれの階調を再現できるように処理する階調再現処理（中間調生成）を行うブロックである。また、階調再現処理部１８では、領域分離処理部１３から送られてきた領域識別信号を基に、広域周波数の再現に適した高解像度のスクリーンでの二値化または多値化処理が実行されるブロックである。
【００６４】
例えば、領域分離処理部１３にて写真領域と識別された画素に対して、階調再現性を重視したスクリーンでの二値化または多値化処理が行われる。
【００６５】
出力変換部１９では、上記したように色補正部１４の判定結果に基づいて、非蛍光着色液（第１の着色剤，非蛍光着色剤）の使用または非蛍光着色液に蛍光着色液（第２の着色剤，蛍光着色剤）を配合した記録剤の使用の選択がなされる。
【００６６】
具体的には、Ｃ，Ｍ，Ｙ，Ｋ，混合Ｍ，混合Ｙのデジタル画像データを、画像出力装置４のヘッド（Ｃ・Ｍ・Ｙ・Ｋ・蛍光Ｍ，蛍光Ｙなどのインクジェットヘッド）の並びに応じた出力画像データに変換する処理が実行される。なお、混合Ｍのデジタル画像データとは、Ｍの非蛍光着色液にＭの蛍光着色液を配合した記録剤により形成される部分の階調を示した信号であり、混合Ｙのデジタル画像データとは、Ｙの非蛍光着色液にＹの蛍光着色液を配合した記録剤により形成される部分の階調を示した信号である。また、色補正部１４の判定結果に基づいて行う記録剤の選択処理は、出力変換部１９で行う必要はなく出力変換部１９の前段に処理を行うブロックを設けて行っても良い。
【００６７】
上述した各処理が施されたＣ，Ｍ，Ｙ，Ｋ，混合Ｍ，混合Ｙのデジタル画像データは、一旦記憶手段に記憶された後、所定のタイミングで読み出されて、画像出力装置４へ出力する。なお、以上の処理は、図示しないＲＡＭ（Ｒａｎｄｏｍ  Ａｃｃｅｓｓ  Ｍｅｍｏｒｙ）等の主記憶装置を作業領域として、図示しないＣＰＵ（Ｃｅｎｔｒａｌ  Ｐｒｏｃｅｓｓｉｎｇ  Ｕｎｉｔ）によって制御される。
【００６８】
つぎに、画像出力装置４の詳細な構成について説明する。図１は、画像出力装置４としてのインクジェット記録装置（複写機・プリンタ複合機）の全体構成を示す斜視図である。
【００６９】
画像出力装置４は、画像処理装置３から送られてきたＣ，Ｍ，Ｙ，Ｋ，混合Ｍ，混合Ｙのデジタル画像データに応じて、記録剤を記録媒体（例えば紙等）２３上に出力するインクジェット方式によって印刷を行う。
【００７０】
図１に示すように、画像出力装置４に備えられ、ヘッド（インクジェットヘッド）２１を搭載したキャリッジ２２は、記録媒体２３上を主走査方向（矢印Ｘ１またはＸ２方向）に移動可能な構成である。画像出力装置４は、印刷の際、キャリッジ２２をＸ１またはＸ２方向に移動させる。これに伴い、キャリッジ２２は、記録媒体２３にインクを吐出する。その一方、画像出力装置４は、記録媒体２３を副走査方向（図中Ｙ方向）に移動させることによって、記録媒体２３全面に印刷を行うようになっている。
【００７１】
また、記録媒体２３は、図示しない給紙部に備えられており、図示しない給紙ローラによって１枚ずつ送り出され、図示しない搬送ローラ（記録媒体搬送手段）によりヘッド２１に対向する位置へ供給される。記録が終了した記録媒体２３は排紙部（不図示）に排出される。
【００７２】
ヘッド２１を搭載したキャリッジ２２は、上記主走査方向に延びるガイドシャフト２５及び保持手段２６上を摺動自在に支持され、所定の位置で記録媒体２３と対向配置される。キャリッジ２２は、ガイドシャフト２５と平行に張架され、モータ２７を駆動源とした搬送ローラ（駆動手段）２４によって駆動する駆動ベルト２８によって変位駆動する。
【００７３】
キャリッジ２２に搭載されるヘッド２１には、図２に示すように、例えば、Ｃ・Ｍ・Ｙ・Ｋ・混合Ｍ・混合Ｙのような複数色のインクを個別に蓄えたインクタンク３０が色成分ごとに備えられている。これらのインクが、出力変換部１９からのデジタル画像データに応じて吐出されて、記録媒体２３上に画像が形成される。ここで、混合Ｍのインクとは、Ｍの非蛍光着色液にＭの蛍光着色液を配合して得られる記録剤をいい、混合Ｙのインクとは、Ｙの非蛍光着色液にＹの蛍光着色液を配合して得られる記録剤をいう。
【００７４】
つぎに、本実施の形態に係る各色成分の記録剤、上記各色成分の記録剤を用いた画像形成方法の詳細について説明する。
【００７５】
なお、本実施の形態における各色成分の記録剤とは、非蛍光着色液に当該非蛍光着色液と同一色相に属する蛍光着色液を配合することによって得られるインク（混合Ｍインク，混合Ｙインク）、または非蛍光着色液のみからなるインク（Ｃインク，Ｍインク，Ｙインク）をいう。また、非蛍光着色液とは、蛍光成分を含まない着色液をいい、蛍光着色液とは、蛍光成分を含んだ着色液をいう。
【００７６】
ここで、混合Ｍインクに用いられる非蛍光着色液の分光反射スペクトルを計測した結果を図３に示す。さらに、混合Ｙインクに用いられる非蛍光着色液の分光反射スペクトルを図４に示す。図３、図４において、横軸は波長を示し、縦軸は波長に対する反射率を示す。なお、上記分光反射率は、Ｘ−Ｒｉｔｅ  ９３８  分光測色計を用いて計測した。
【００７７】
一方、混合Ｍインクに用いられる蛍光着色液の分光反射率を計測した結果を図５に示す。さらに、混合Ｙインクに用いられる蛍光着色液の分光反射率を計測した結果を図６に示す。
【００７８】
図５に示すように、混合Ｍインクに用いられる蛍光着色液の分光反射スペクトルによれば、波長４３０ｎｍ・６１０ｎｍ付近付近にピークが存在する。また、図６に示すように、混合Ｙインクに用いられる蛍光着色液の分光反射スペクトルによれば、波長５２０ｎｍ付近付近にピークが存在する。
【００７９】
さらに、上記非蛍光着色液と上記蛍光着色液との比率（％）が、０：１００，２５：７５，５０：５０，７５：２５，１００：０の場合における、混合Ｍインクおよび混合Ｙインクの分光反射率を計測した結果を、混合Ｍインクについては図７に示し、混合Ｙインクについては図８に示す。なお、以下では、上記比率ではなく、混合後の記録剤全体に対する上記蛍光着色液の比率（配合比率）をｘ＝０〜１で表す。
【００８０】
例えば、ｘ＝０は、混合後の記録剤全体に対して、上記蛍光着色液が０％配合されると共に上記非蛍光着色液が１００％配合されていることを示す。そして、ｘ＝０．２５は、混合後の記録剤全体に対して、上記蛍光着色液が２５％配合されると共に上記非蛍光着色液が７５％配合されていることを示す。さらに、ｘ＝０．７５は、混合後の記録剤全体に対して、上記蛍光着色液が７５％配合されると共に上記非蛍光着色液が２５％配合されていることを示す。また、ｘ＝１は、混合後の記録剤全体に対して、上記蛍光着色液が１００％配合されると共に上記非蛍光着色液が０％配合されていることを示す。
【００８１】
図７に示すように、混合Ｍインクについて、非蛍光着色液に蛍光着色液を混合していくと、分光反射率が高くなる。そして、上記配合比率ｘが０．７５以上になると、マゼンタ系の蛍光を示す発光ピークが存在する波長域（特に６１０ｎｍ付近）において、分光反射率がピークを示すようになる。図８に示すように、混合Ｙインクについて、非蛍光着色液に蛍光着色液を混合していくと、この場合も上記と同様に、分光反射率が高くなる。そして、上記配合比率ｘが０．７５以上になると、イエロー系の蛍光を示す発光ピークが存在する波長域（５２０ｎｍ付近）において、分光反射率がピークを示すようになる。
【００８２】
ここで、マゼンタの理想的な分光反射スペクトルと、マゼンタ系非蛍光着色液の分光反射スペクトルとを図１６（ａ）に示し、イエローの理想的な分光反射スペクトルと、イエロー系非蛍光着色液の分光反射スペクトルとを図１６（ｂ）に示す。マゼンタの理想的な分光反射スペクトルは、４００〜５００ｎｍおよび６００〜７００ｎｍの光を１００％反射する。一方、実際のマゼンタ系非蛍光着色剤の分光反射スペクトルでは、副吸収成分（不要な吸収成分・透過成分）がマゼンタ色素内に存在するため、理想的なスペクトルにならない。
【００８３】
この点、本実施の形態では、マゼンタの非蛍光着色液に対し、マゼンタの蛍光着色液を混合していくと、マゼンタ色を示す分光反射率が存在する波長域（４３０ｎｍ・６１０ｎｍ付近）において、分光反射率が高くなり、マゼンタの理想的な分光スペクトルに近づけることができる。
【００８４】
さらに、混合Ｍインクまたは混合Ｙインクに関し、上述した各配合比率における、Ｌ＊，ａ＊，ｂ＊値を測定した。さらに測定した各配合比率におけるＬ＊，ａ＊，ｂ＊値より数３から求めたＬ＊，Ｃ＊，Ｈを図９および図１０に示す。なお、Ｌ＊は明度であって、Ｃ＊は彩度であって、Ｈは色相角度である。
【００８５】
【数３】
2004291508.tif 000005
【００８６】
ここで、図９（ａ）は、混合Ｍインクに関する色相角度を示し、図９（ｂ）は、混合Ｍインクに関する彩度を示し、図９（ｃ）は、混合Ｍインクに関する明度を示す。また、図１０（ａ）は、混合Ｙインクに関する色相角度を示し、図１０（ｂ）は、混合Ｙインクに関する彩度を示し、図１０（ｃ）は、混合Ｙインクに関する明度を示す。なお、Ｌ＊，ａ＊，ｂ＊値の測定は、Ｘ−Ｒｉｔｅ  ９３８分光測色計を用いて行った。
【００８７】
図９（ｂ）から、混合Ｍインクにおいて、蛍光着色液の配合比率の増加に応じて彩度が向上することが確認される。図９（ｃ）から、混合Ｍインクにおいて、蛍光着色液の配合比率の増加に応じて明度が向上することが確認される。図１０（ｂ）から、混合Ｙインクにおいて、蛍光着色液の配合比率の増加に応じて彩度が僅かに向上することが確認される。図１０（ｃ）から、混合Ｙインクにおいて、蛍光着色液の配合比率の増加に応じて明度が向上することが確認される。
【００８８】
この理由を以下説明する。このようにして、分光反射率が高まるということは、式（１０１）〜（１０３）で示したように三刺激値ＸＹＺが大きくなり、これに伴い明度や彩度も向上する。また、図９に示すように、上記配合比率を変化させると、非蛍光着色剤と蛍光着色剤とからなるインクの色相角度も微妙に変化する（＋１０°から−１０°）。これは、特定波長域の反射率が強調されることにより、その波長域で反射される色が強調されることによるものである。したがって、混合Ｍインクまたは混合Ｙインクにおいて、蛍光着色液の配合比率を高めていくと、その色合いも微妙に変化していく。
【００８９】
つぎに、上記各配合比率における混合Ｍインクおよび混合ＹインクのＬ＊，ａ＊，ｂ＊値および、ＣインクのＬ＊，ａ＊，ｂ＊値を、Ｌ＊，ａ＊，ｂ＊空間にプロットした様子を図１１に示す。図１１によれば、混合Ｍインクおよび混合Ｙインクにおいて、上記配合比率を変化させると、Ｌ＊，ａ＊，ｂ＊値が変化することがわかる。
【００９０】
さらに、Ｃインク、混合Ｍインク、混合Ｙインクを減法混色よって得られる色再現域は、混合Ｍインク，混合Ｙインクにおいて蛍光着色液の配合比率をｘ＝１とすることにより、蛍光着色液の配合比率がｘ＝０（すなわち、各混合インクには蛍光着色液を配合せず、各混合インクは非蛍光着色液のみからなる）の状態と比べて、結果として約３０％向上したことが確かめられた。
【００９１】
なお、上記色再現域の計算は、混合Ｍインク，混合Ｙインクに関し、上記配合比率をｘ＝０とした場合とｘ＝１とした場合とで、ＣインクのＬ＊，ａ＊，ｂ＊値，ＭインクのＬ＊，ａ＊，ｂ＊値，ＹインクのＬ＊，ａ＊，ｂ＊値を頂点とした三角形の面積を比較することによって行った。
【００９２】
また、以上のようにして得られた上記各配合比率における混合Ｍインクおよび混合Ｙインクが示す分光反射率は、（５）式のように表すことができる。
Ｒｍ＝（１−ｘｙ）Ｒｏ＋ｘｙＲｆ              …（５）
（５）式において、Ｒｍは、非蛍光着色液と蛍光着色液とを混合して得られる混合インクの分光反射率を示し、Ｒｆは、上記蛍光着色液の分光反射率を示し、Ｒｏは、上記非蛍光着色液の分光反射率を示し、ｘは、上記配合比率を示す。
【００９３】
つぎに、（５）式におけるｙの最適値の決定手順を説明する。本実施の形態における混合Ｍインク、または混合Ｙインクに関して、上記（５）を用いて計算されるＬ＊，ａ＊，ｂ＊の値をＬ＊ｃ，ａ＊ｃ，ｂｃ＊とする。
【００９４】
一方、混合Ｍインクまたは混合Ｙインクに関して、測定により得られたＬ＊，ａ＊，ｂ＊の値をＬ＊ｓ，ａ＊ｓ，ｂ＊ｓとする。
【００９５】
なお、測定時の光源は下記の計算に用いる光源は同一とする。そして、上記計算値と測定値との色差は、（６）式によって求めることができる。
ΔＥ＝｛（Ｌ＊ｃ−Ｌ＊ｓ）２＋（ａ＊ｃ−ａ＊ｓ）２＋（ｂ＊ｃ−ｂ＊ｓ）２｝（１／２）…（６）
まず、Ｌ＊ｃ，ａ＊ｃ，ｂｃ＊の演算手順を説明する。ここで、Ｌ＊ｃ，ａ＊ｃ，ｂｃ＊の演算手順として、ＸＹＺ表色系を介して計算する方法を採用する。まず、ＸＹＺ表色系における三刺激値ＸＹＺを、（１０１）式から（１０４）式を用いて計算する。
【００９６】
【数４】
2004291508.tif 000006
【００９７】
なお、Ｒ（λ）として示す分光立体角反射率には、（５）式によって得られるＲｍを用いる。
【００９８】
そして、（１０１）式〜（１０４）式より得られるＸ，Ｙ，Ｚを、（１０５）式〜（１０７）式へ代入することにより、Ｌ＊ｃ，ａ＊ｃ，ｂｃ＊を得ることができる。
【００９９】
【数５】
2004291508.tif 000007
【０１００】
このようにして得られたＬ＊ｃ，ａ＊ｃ，ｂｃ＊を用いて、（６）式のΔＥを求めると、ΔＥをｙの関数として表すことができる。すなわち、ｙの値を所定のステップで変えて色差を求めれば良い。
【０１０１】
以上のようにして得られる色差ΔＥを、図１２に示す。なお、以上の計算において、色差ΔＥを求める際には、ｘ＝０．２５，０．５，０．７５の平均値を用いた。
【０１０２】
図１２に示すように、得られる色差ΔＥが最も小さくなるパラメータｙの値は、Ｍインクの場合にはｙ≒２．３で、Ｙインクの場合にはｙ≒２．５であることが分かる。
【０１０３】
すなわち、色差ΔＥが最も小さくなるパラメータｙの値を採用し、上記（５）式で求められる分光反射率を用いることにより、目標とする記録剤の色に対する最適な配合比率を求めることができる。つまり、目標とする記録剤の色のＬ＊ａ＊ｂ＊値を求めておき、例えば配合比率を所定のステップで変えてＬ＊，ａ＊，ｂ＊値を求めて、目標とする記録剤の色のＬ＊ａ＊ｂ＊値とのΔＥが最小となる配合比率を求めれば良い。
【０１０４】
具体的に説明すると、混合Ｙインクにおける目標とする色を、（Ｌ＊，ａ＊，ｂ＊）＝（８５，２，８０）としたときに、上述のｙ≒２．５の値を用いて、ΔＥを最も小さくする最適な配合比率として、ｘ＝０．４５を得ることができる。
【０１０５】
以上のように、本実施の形態に係る色成分のインクは、非蛍光着色液に対し、該非蛍光着色液と同一色相に属する蛍光着色液を配合することにより得られるものである。さらに、上記インクは、非蛍光着色液より分光反射率が高い。したがって、上記インクは、非蛍光着色液と同一範囲の色相に属しつつ、非蛍光着色液よりも明度や彩度が高くなる。言い換えると、非蛍光着色液に対し蛍光着色液を配合して得られる上記インクは、非蛍光着色液と同一範囲の色相でありつつ、非蛍光着色液のみから再現できないような明度の高い色や高彩度の色を再現できる。
【０１０６】
よって、減法混色により画像形成する画像形成方法において、色成分として上記インクを使用すれば、非蛍光着色液からでは再現できないような高彩度の色を再現でき、色再現域を簡単に拡張させることができる。
【０１０７】
また、本実施の形態に係る、蛍光着色液が配合されている色成分のインクは、当該インクに含有されている非蛍光着色液よりも分光反射率が高い。すなわち、上記インクは、当該インクに含まれている非蛍光着色液と同一範囲の色相でありつつ、非蛍光着色液よりも、当該色相における理想的な分光反射スペクトルに近い特性を示す。したがって、このようなインクを減法混色における各色成分とすることにより、再現画像の画質を向上させることができる。
【０１０８】
さらに、蛍光着色液は、非蛍光着色剤と比較して明るい色調や鮮やかな色調を表現できる。したがって、非蛍光着色液に対し、該非蛍光着色液と同一色相の範囲内の蛍光着色液を配合することで得られるインクは、非蛍光着色液と同一範囲の色相でありつつ、非蛍光着色液よりも明るいあるいは鮮やかである。したがって、上記インクを用いて減法混色により色を再現する場合、非蛍光着色液のみの減法混色では再現することができない明るい色や鮮やかなの色を再現することが可能となる。
【０１０９】
さらに、非蛍光着色液の分光反射率をＲｏ、蛍光着色液の分光反射率をＲｆとした場合、上記配合比率ｘを、（５）式より導くことができる。この理由を以下説明する。
【０１１０】
非蛍光着色液の分光反射率および、蛍光着色液の分光反射率は、予め、計測することが可能である。したがって、非蛍光着色液に蛍光着色液を配合して得られる記録剤の分光反射率は、両者の分光反射率より近似的に求めることができると推定され、実際、上記（５）式において２≦ｙ≦３とすることにより、Ｌ＊，ａ＊ｂ＊の値で表される測定値と計算値とをほぼ一致（色差が極小）させることが可能である。従って、この結果を用いて、目標とする記録剤の色の配合比率を演算により求めることができる。すなわち、目標とする記録剤の色に関するＬ＊，ａ＊ｂ＊の値を測定せずに、演算により求めることができる。
【０１１１】
〔実施の形態２〕
さらに、本発明に係る他の実施の形態について、図１４に基づいて説明すると以下のとおりである。なお、上述の実施の形態と同一機能を奏する部材については同様の参照符号にて表すと共に、その説明は省略する。
【０１１２】
本実施形態におけるインクジェットプリンタとしての画像出力装置（画像形成装置）のヘッド５０は、実施の形態１のように、非蛍光着色液と蛍光着色液とを混合した後の各色成分のインクを各インクタンク３０に備える構成ではなく、上記非蛍光着色液と上記蛍光着色液とを別々のインクタンク５１に備えた構成である。
【０１１３】
すなわち、本実施の形態においては、以下で説明するように、別々のインクタンク５１に備えた非蛍光着色液と、該非蛍光着色液と同一色相に属する蛍光着色液とを、ヘッド５０が、それぞれ異なる吐出口から吐出して、記録媒体上おいて混合して所望の色を表現してもよい。また、ヘッド５０が、別々のインクタンク５１に備えた非蛍光着色液と、該非蛍光着色液と同一色相に属する蛍光着色液とを、記録媒体上において、互いに近接した位置に吐出し、面積階調によって、所望の色を表現してもよい。
【０１１４】
本実施形態においては、実施の形態１と比較して、画像出力装置が備えるヘッド５０の構成が異なっている。ヘッド５０には、図１４に示すように、Ｃ（シアン）・Ｍ（マゼンタ）・Ｙ（イエロー）・Ｋ（黒）のような複数色の非蛍光着色液の各インクタンクに加えて、Ｃｆ（シアン系蛍光着色液）・Ｍｆ（マゼンタ系蛍光着色液）・Ｙｆ（イエロー系蛍光着色液）のインクタンクが備えられている。
【０１１５】
ここで、本実施形態における、各インクタンク５１に備えられているＣ，Ｍ，Ｙ，Ｋの各非蛍光着色液は、蛍光着色液が混合されていない。そして、上述の各非蛍光着色液および各蛍光着色液を、出力変換部１９からのデジタルデータに応じて、以下に説明するような２種類の手順で、ヘッド５０から吐出して、記録媒体上に画像を形成する。
【０１１６】
まず、ヘッド５０に備えた、ある色成分の非蛍光着色液と、該非蛍光着色液と同一色相に属する蛍光着色剤とを、記録媒体上の同じ位置に吐出して、記録媒体上において混合する手順について説明する。
【０１１７】
上述の実施の形態において説明した式（５）を用いて、パラメータｙを、例えばｙ＝２．４（ｙ≒２．３とｙ≒２．５との平均値）と設定した上で、非蛍光着色液と蛍光着色液を用いて出力する画像データに対し、非蛍光着色液と蛍光着色液との配合比率ｘを、実施の形態１の手順で求める。非蛍光着色液と蛍光着色液を用いて出力する画像データが複数あるならば、夫々に対して配合比率を求めておき、例えば、テーブルとして格納しておく。上記画像データの判定は、色補正部１４で行われ、上記テーブルは出力変換部１９に備えられる。出力変換部１９では、色補正部１４からの色判定信号に基づいてテーブルから配合比率が読み出される。このようにして得られる配合比率ｘは、実際に出力される色との色差ΔＥを最小にできる配合比率であり、最適な配合比率であるといえる。
【０１１８】
そして、このようにして求めた最適な配合比率にて、ヘッド５０から、上記非蛍光着色液と、該非蛍光着色液と同一色相に属する蛍光着色液とが、互いに異なる吐出口からそれぞれ記録媒体上のほぼ同じ位置に吐出され、記録媒体上にて混合される。これにより、蛍光着色液を全く用いずに、非蛍光着色液のみから画像を形成する場合と比較して、色再現域を広げることができる。なお、上記非蛍光着色液に混合される蛍光着色液は、該非蛍光着色液と同一色相に属するため、蛍光着色液を混合しても、色相の同一性を保持できる。
【０１１９】
つぎに、ヘッド５０に備えた、ある非蛍光着色液と蛍光着色液とを、記録媒体上において互いに近接した位置に吐出して、面積階調により混合してインクを生成する手順について説明する。なお、この場合、非蛍光着色液と蛍光着色液とは互いに同一色相に属している必要はない。
【０１２０】
また、ある非蛍光着色液と別の非蛍光着色液とが重なって記録されると色の再現性が悪くなることが知られているが、蛍光着色液の場合、明度および／または彩度が高いという特性を有しており、その特性が低下するおそれがあるので、非蛍光着色液と蛍光着色液との重なりを非蛍光着色液のみを用いて記録を行う場合よりも厳しく制御する必要がある。
【０１２１】
上述の実施の形態において説明した式（５）を用いて、パラメータｙを適切な値に設定した上で、上記配合比率ｘを、上述した実施の形態で示した手順で求める。ここで、適切なｙの値としては、例えば、１以上かつ１の近似値が挙げられる。これは、面積階調において、非蛍光着色液と蛍光着色液とが重ならない状況では互いの干渉が無く、また、非蛍光着色液と蛍光着色液とが互いに近接する状況では、互いの干渉が少ないので、非蛍光着色液と蛍光着色液とにおける反射光（分光反射スペクトル）に対する寄与率は、１対１、あるいは１対１に近い値が好ましいからである。
【０１２２】
そこで、上述した適切な配合比率にて、非蛍光着色液と蛍光着色液とを、互いに異なる吐出口からそれぞれ記録媒体上の近接した位置に吐出して、記録媒体上にて面積階調により所望の色を生成する。これにより、蛍光着色液を全く用いずに、非蛍光着色液のみから画像を形成する場合と比較して、色再現域を広げることができる。
【０１２３】
以上のように、本実施の形態に係る画像出力装置によれば、減法混色におけるいずれか１の色成分を示す非蛍光着色液と、当該非蛍光着色液と同一色相に属する蛍光着色液とを、それぞれ異なる吐出口から吐出するヘッド５０が備えられている。したがって、非蛍光着色液と蛍光着色液とを、記録媒体上の同一位置または近接する位置に付着させることができる。これにより、非蛍光着色液と当該非蛍光着色液と同一色相に属する蛍光着色液とを記録媒体上で混合させることができ、非蛍光着色液と同一色相に属する色成分を生成することができる。
【０１２４】
このようにして生成された色成分は、非蛍光着色液より分光反射率が高い。したがって、上記画像形成装置によって生成される色成分は、非蛍光着色液と同一範囲の色相に属しつつ、非蛍光着色液よりも明度および／または彩度が高くなる。言い換えると、上記画像形成装置によって生成される色成分は、非蛍光着色液と同一範囲の色相でありつつ、非蛍光着色液のみから再現できないような高い明度および／または高彩度の色を再現するものである。
【０１２５】
よって、上記画像形成装置により、減法混色における色再現を行えば、各色成分の非蛍光着色液からでは再現できないような高い明度および／または高彩度の色を再現でき、色再現域を拡張させることができる。
【０１２６】
また、本実施の形態によれば、非蛍光着色液と蛍光着色液とをほぼ同一位置に付着させているので、非蛍光着色液と蛍光着色液とを当該位置で混合させることにより、非蛍光着色液と同一色相の範囲内かつ非蛍光着色液より分光反射率の高い色成分を生成することができる。
【０１２７】
さらに、非蛍光着色液と蛍光着色液とは、記録媒体上の互いに近接する位置に付着させてもよい。これにより、非蛍光着色液と蛍光着色液とを用いて面積諧調により画像を表現することができ、非蛍光着色液より分光反射率が高い色成分を生成できる。
【０１２８】
〔実施の形態３〕
本発明のさらに他の実施の形態について図１５に基づいて説明すると以下の通りである。
【０１２９】
本実施形態は、実施の形態２と比較して、図１５に示すコンピュータに画像処理装置が備えられている点で異なる。そこで、以下ではこの異なる点についてのみ説明する。また、実施の形態１において説明した部材と同一の機能を奏する部材については、同一の参照符号で示し、その説明は省略する。
【０１３０】
本実施の形態に係る画像形成方法を実行するための画像処理、具体的には予め定められた画像データ（例えば、前述した明度や彩度の高い画像データ）に対して、▲１▼非蛍光着色液と同一色相に属する蛍光着色液とを所定の比率で配合した記録剤を用いる、▲２▼非蛍光着色液と同一色相に属する蛍光着色液とを、上記画像データに応じて定められる配合比率で記録媒体上のほぼ同じ位置に吐出する、▲３▼非蛍光着色液と蛍光着色液とを、上記画像データに応じて定められる配合比率で記録媒体上の近接した位置に吐出する処理をコンピュータに備えられたプリンタドライバ６０が行う構成であってもよい。
【０１３１】
コンピュータにおいて各種のアプリケーションプログラムを実行することにより生成されたデジタル画像データは、色補正部１４・階調再現処理部１８・出力変換部１９において、それぞれ画像処理が実行される。なお、本実施の形態においては、色補正部１４にて、黒生成下色除去処理も実行される。
【０１３２】
出力変換部１９において出力変換処理がなされたデジタル画像データは、プリンタ言語翻訳部６１でプリンタ言語に変換され、通信ポートドライバー６２・通信ポート（ＲＳ２３２Ｃ・ＬＡＮ等）６３を介して、画像出力装置４としてのインクジェット記録装置（プリンタ）に入力される。ここで、画像出力装置４としては、プリンタ機能の他にコピー機能およびファックス機能を有するデジタル複合機であっても良い。
【０１３３】
また、本実施の形態においては、プリンタドライバ６０がコンピュータに備えられた構成について説明したが、本発明はこれに限るものではなく、プリンタドライバが画像出力装置４としてのプリンタ（インクジェット記録装置）に備えられる構成であってもよい。
【０１３４】
なお、従来の技術として説明した上記特開２０００−１８１１７０号公報においては、非蛍光着色液と、該非蛍光着色液と同一色相に属する蛍光着色液とを混合して、同一色相を保持するという点については触れられていない。
【０１３５】
具体的には、上記公報においては、各色成分の非蛍光着色液に対して混合すべき各色成分の蛍光着色液のピーク波長が記載されているだけで、発光スペクトルや色については何ら記載されていない。例えば、上記公報には、「イエローのトナーに、発光ピークが５４０ｎｍの蛍光体を混合する」旨が記載されているが、５４０ｎｍに発光ピークを有する蛍光体としては、イエロー蛍光体の他にグリーンの蛍光体がある。蛍光体は、蛍光体自体の色（反射色）と、発光成分（蛍光）とを有しているので、イエローのトナーにグリーンの蛍光体を混合した場合、イエローの色あいを保持できなくなる。また、トナーの吸収ピークと蛍光体の発光ピークとが同一波長域に存在したとしても、ブロードな発光スペクトルを有する蛍光体では、メインの吸収領域に対して逆の効果を及ぼすおそれがある。
【０１３６】
この点、実施形態１における記録剤としての各色成分のインクは、蛍光成分を含まない非蛍光着色液に対して、非蛍光着色液と同一色相に属する蛍光着色液を混合することによって分光反射率を高めている。したがって、上記各色成分のインクから形成される画像の色再現域は、蛍光物質が含まれていない各色成分の着色剤から形成される画像の色再現域よりも広い。さらに、上記各色成分のインクにおいて、蛍光物質を加えても色相の同一性を保つことができるので、蛍光物質を加えることにより画質を劣化させることはない。
【０１３７】
また、上記公報によれば、非蛍光着色液と、該非蛍光着色液と同一色相に属する蛍光着色液とを記録媒体上で混合、あるいは、記録媒体上の同じ位置あるいは近接した位置に吐出させて、面積階調により所望の色を生成することについては記載されていない。
【０１３８】
この点、実施形態１における記録剤としての各色成分のインクは、蛍光成分を含まない非蛍光着色液に対して、非蛍光着色液と同一色相に属する蛍光着色液を混合することによって分光反射率を高めている。また、実施の形態２および実施の形態３においては、非蛍光着色液と、該非蛍光着色液と同一色相に属する蛍光着色液とを記録媒体上で混合することにより、非蛍光着色液の分光反射率を高めている。
【０１３９】
したがって、上記各色成分のインクから形成される画像の色再現域は、蛍光物質が含まれていない各色成分の着色剤から形成される画像の色再現域よりも広い。さらに、上記各色成分のインクにおいて、蛍光物質を加えても色相の同一性を保つことができるので、蛍光物質を加えることにより画質を劣化させることはない。
【０１４０】
また、実施の形態２および実施の形態３における画像形成方法により形成される画像の色再現域は、蛍光物質が含まれていない各色成分の着色剤から形成される画像の色再現域よりも広い。さらに、実施の形態２および実施の形態３の画像形成方法において、蛍光着色液を記録媒体に吐出しても、形成される画像の色相の同一性を保つことができるので、画質を劣化させることはない。
【０１４１】
また、本発明の記録剤は、第１の着色液と第１の着色液と同色系統の、第２の着色液とを有する記録剤において、上記第１の着色液と上記第２の着色液とが混合されたことによって、上記第１の着色液の分光反射率よりも高い分光反射率を有している構成であってもよい。
【０１４２】
これにより、混合して得られた記録剤の分光反射率を、第１の着色剤の分光反射率よりも高くして、色を制御することができる。
【０１４３】
すなわち、第１の着色剤である染料（非蛍光着色液）と第１の着色剤と同色系統の、第２の着色剤である蛍光着色液を混合した記録剤を用いることにより、染料のみの着色剤を用いる場合と比較して色再現域を広げることができる。例えば、第１の着色剤としてイエローの染料を用いる時は、第２の着色剤としてイエローの蛍光着色液を用いる（マゼンタの場合も同様）。両者は、明度・彩度・色相が多少異なっており、任意の割合で混合して記録剤とすることにより、所望の色を得ることができる。
【０１４４】
また、本発明の記録剤は、上記構成に加えて、上記第２の着色剤が蛍光着色液であってもよい。これにより、色再現域の拡大および色の制御を容易に実現することができる。
【０１４５】
また、本発明の記録剤は、上記構成に加えて、分光反射率Ｒｏの第１の着色剤と、分光反射率Ｒｆの第２の着色剤とを有する記録剤において、上記第１の着色剤と上記第２の着色剤とが上記第２の着色剤の配合比率をｘとして混合されたことによって、上記第１の着色剤の分光反射率よりも高い分光反射率を有しているとともに、得られる記録剤本体の分光反射率Ｒｍをパラメータｙ（ｙ：正の実数）を用いてＲｍ＝（１−ｘｙ）Ｒｏ＋ｘｙＲｆと表してもよい。
【０１４６】
これにより、実際の色との差が小さい所望の色を得るための適切な配合比率を、記録剤本体の分光反射率Ｒｍの式を用いて求めることができる。
【０１４７】
また、Ｒｍ＝（１−ｘｙ）Ｒｏ＋ｘｙＲｆにおいて、ｙ＝２〜３であることが好ましい。これにより、実際の色との色差を極小にすることができる配合比率を求めることができる。
【０１４８】
さらに、本発明は、上記構成の記録剤を用いて記録媒体上に画像を形成することを特徴とする記録方法としても構わない。これにより、色再現域が広く、実際の色との色差が小さい記録材で画像を形成するので、品質の良い画像を出力することができる。
【０１４９】
また、本発明は、第１の着色剤と第２の着色剤とを有する記録剤を用いて記録媒体上に画像を形成する記録方法において、上記第１の着色剤と上記第２の着色剤とは混合されると上記第１の着色剤よりも高い分光反射率を有するようになる一方、上記第１の着色剤と上記第２の着色剤とを、それぞれ別個に上記記録媒体へと付着させて、所望の画像を形成する記録方法としても構わない。
【０１５０】
上記記録方法は、例えば第１の着色剤と第２の着色剤とを別個に記録媒体上のほぼ同じ位置に付着させて、記録媒体上にて混合させて、所望の画像を形成する。また、上記記録方法では、例えば第１の着色剤と第２の着色剤とを別個に記録媒体上の近接する位置に付着させて、記録媒体上にて所望の面積階調による画像を形成する。上記手順によれば、表現しようとする色に応じて種々の配合比率でほぼ同じ位置に付着させる、あるいは、近接する位置に付着させることができるので、例えば適切な配合比率で画像形成を行うことにより、さらに画質を向上することができる。
【０１５１】
また、本発明は、上記手順に加えて、上記第１の着色液の分光反射率はＲｏであり、上記第２の着色液の分光反射率はＲｆであって、上記第１の着色液と上記第２の着色液とを、上記第２の着液の配合比率をｘとして混合すると、得られる記録剤本体の分光反射率Ｒｍが、パラメータｙを用いてＲｍ＝（１−ｘｙ）Ｒｏ＋ｘｙＲｆと表される一方、上記第１の着色剤と上記第２の着色剤とは、別個に上記記録媒体上のほぼ同じ位置に、所望の上記配合比率ｘで付着させられ、記録媒体上にて混合される手順であっても構わない。
【０１５２】
これにより、所望の配合比率にて付着させられるので、例えば適切な配合比率で混合して、画質を向上させた記録を行うことができる。
【０１５３】
また、本発明は、上記記録方法によって、記録媒体上に画像形成を行うことを特徴とする記録装置としても構わない。これにより、色再現域が広く、実際の色との色差が小さい配合比率の記録剤で画像を形成するので、品質の良い画像を出力することができる記録装置を提供することができる。
【０１５４】
さらに、本発明は、上記記録方法によって記録が行われた記録媒体としても構わない。これにより、品質の良い画像が出力された記録媒体を得ることができる。
【０１５５】
最後に、上述した実施の形態１乃至３は、本発明の範囲を限定するものではなく、本発明の範囲内で種々の変更が可能である。
【０１５６】
【発明の効果】
本発明の画像形成方法は、以上のように、互いに色相が異なる各色成分の記録剤から減法混色により画像を形成する画像形成方法であって、いずれか１つの色成分を示す第１の着色剤に対し、第１の着色剤と同一色相に属する第２の着色剤を配合することにより得られ、第１の着色剤より分光反射率が高い色成分の記録剤を用いることを特徴とする。
【０１５７】
これにより、減法混色における色成分として上記記録剤を使用すれば、第１の着色剤と他の色成分とからでは再現できないような高い明度や高彩度の色を再現でき、色再現域を拡張させることができるという効果を奏する。
【０１５８】
本発明の記録剤は、以上のように、減法混色により色を再現するために用いられる色成分の記録剤であって、上記色成分を示す第１の着色剤と、第１の着色剤と同一色相に属する第２の着色剤とを主成分とし、第１の着色剤より分光反射率が高いことを特徴とする。
【０１５９】
これにより、減法混色における色成分として上記記録剤を使用すれば、第１の着色剤と他の色成分とからでは再現できないような高い明度や高彩度の色を再現でき、色再現域を簡単に拡張させることができるという効果を奏する。
【０１６０】
本発明の記録剤は、上記構成に加えて、第１の着色剤は、非蛍光着色剤である一方、第２の着色剤は、蛍光着色剤であることを特徴とする。
【０１６１】
これにより、非蛍光着色剤に蛍光着色剤を配合することとなるので、蛍光着色剤の発光成分により、非蛍光着色剤の副吸収成分（不要な吸収・透過成分）が抑制され、上記記録剤の分光反射率は、第１の着色剤の分光反射率よりも高いものとなるという効果を奏する。
【０１６２】
本発明の記録剤は、上記構成に加えて、第１の着色剤の分光反射率をＲｏ、第２の着色剤の分光反射率をＲｆ、第１の着色剤と第２の着色剤とを配合して得られる記録剤の分光反射率をＲｍとした場合、上記記録剤にしめる第２の着色剤の配合比率ｘは、Ｒｍ＝（１−ｘｙ）Ｒｏ＋ｘｙＲｆ  （ｙは、所定の定数かつ正の実数）より導かれることを特徴とする。
【０１６３】
これにより、上記記録剤にしめる第２の着色剤の配合比率ｘを簡単に求めることができるという効果を奏する。
【０１６４】
本発明の記録剤は、上記構成に加えて、所定の正の実数であるｙは、２≦ｙ≦３であることを特徴とする。
【０１６５】
これにより、実際に出力される色とほぼ同じ色を得るための配合比率を簡易に求めることができるという効果を奏する。
【０１６６】
本発明の画像形成装置は、以上のように、互いに色相が異なる各色成分の記録剤を備え、減法混色によりこれらの記録剤を用いて、記録媒体上に画像を形成する画像形成装置であって、それぞれ異なる吐出口から記録剤を吐出するヘッド部を複数備え、いずれか１の色成分を示す第１の着色剤と、該第１の着色剤と同一色相に属する第２の着色剤とを上記ヘッド部より吐出して、第１の着色剤と第２の着色剤とを記録媒体上で混合することにより、第１の着色剤より分光反射率の高い色成分が生成されることを特徴とする。
【０１６７】
これにより、上記画像形成装置により、減法混色における色再現を行えば、第１の着色剤と他の色成分とからでは再現できないような高い明度や高彩度の色を再現でき、色再現域を拡張させることができるという効果を奏する。
【０１６８】
本発明の画像形成装置は、上記構成に加えて、上記第１の着色剤と第２の着色剤とは、記録媒体上のほぼ同一位置に付着するように吐出されることを特徴とする。
【０１６９】
これにより、第１の着色剤と第２の着色剤とを同一位置に付着させているので、第１の着色剤と第２の着色剤とを当該位置で混合させることにより、第１の着色剤と同一色相の範囲内かつ第１の着色剤より分光反射率の高い色成分を生成することができ、さらに、任意の比率で混合させることができるので、多くの色を表現することができるという効果を奏する。
【０１７０】
本発明の画像形成装置は、上記構成に加えて、上記第１の着色剤と第２の着色剤とは、記録媒体上の互いに近接する位置に付着するように、上記ヘッド部より吐出されることを特徴とする。
【０１７１】
これにより、第１の着色剤と第２の着色剤とを面積諧調により表現することができ、第１の着色剤より分光反射率の高い色成分を生成でき、さらに、任意の比率で近接させて付着させることができるので、多くの色を表現することができるという効果を奏する。
【０１７２】
本発明の画像形成装置は、以上のように、上記記録剤を備えていることを特徴とする。
【０１７３】
これにより、第１の着色剤と第２の着色剤とを任意の割合で混合でき、より広く色を表現することが可能になるという効果を奏する。
【図面の簡単な説明】
【図１】本発明の実施の形態に係る画像出力装置を示す斜視図である。
【図２】上記画像出力装置に備えられているヘッドを示す斜視図である。
【図３】マゼンタ系非蛍光着色液の分光反射スペクトルである。
【図４】イエロー系非蛍光着色液の分光反射スペクトルである。
【図５】マゼンタ系蛍光着色液の分光反射スペクトルである。
【図６】イエロー系蛍光着色液の分光反射スペクトルである。
【図７】マゼンタ系非蛍光着色液とマゼンタ系蛍光着色液とを配合して得られた混合マゼンタインクの分光反射スペクトルである。
【図８】イエロー系非蛍光着色液とイエロー系蛍光着色液とを配合して得られた混合イエローインクの分光反射スペクトルである。
【図９】マゼンタ系非蛍光着色液とマゼンタ系蛍光着色液とを配合して得られた混合マゼンタインクの色相角度、彩度、明度を示し、（ａ）は、各配合比率における色相角を示し、（ｂ）は、各配合比率における彩度を示し、（ｃ）は、各配合比率における明度を示す。
【図１０】イエロー系非蛍光着色液とイエロー系蛍光着色液とを配合して得られた混合イエローインクの色相角度、彩度、明度を示し、（ａ）は、各配合比率における色相角を示し、（ｂ）は、各配合比率における彩度を示し、（ｃ）は、各配合比率における明度を示す。
【図１１】上記マゼンタインクおよびイエローインクのＬ＊，ａ＊，ｂ＊値および、シアンインクのＬ＊，ａ＊，ｂ＊値を、Ｌ＊ａ＊ｂ＊空間にプロットした様子を示した３次元のグラフである。
【図１２】非蛍光着色液と蛍光着色液とを配合して得られる混合マゼンタインク、混合イエローインクに対して、実際に非蛍光着色液と蛍光着色液とを配合して得られるインクの色と計算によって求められる色との色差であるΔＥをｙの関数として示したグラフである。
【図１３】上記実施の形態に係るデジタルカラー複写機の構成を示したブロック図である。
【図１４】本発明のさらに他の実施の形態における画像出力装置のヘッドを示した斜視図である。
【図１５】本発明のさらに他の実施の形態であるコンピュータの構成を示したブロック図である。
【図１６】（ａ）は、マゼンタの理想的な分光反射スペクトルおよび、マゼンタ系非蛍光着色液の分光反射スペクトルであり、（ｂ）は、イエローの理想的な分光反射スペクトルと、イエロー系非蛍光着色液の分光反射スペクトルである。
【符号の説明】
２  カラー画像入力装置
３  カラー画像処理装置
４  カラー画像出力装置（画像形成装置）
２１  ヘッド
３０  インクタンク
５０  ヘッド（ヘッド部）
５１  インクタンク
【図１】
2004291508.tif 000008
【図２】
2004291508.tif 000009
【図３】
2004291508.tif 000010
【図４】
2004291508.tif 000011
【図５】
2004291508.tif 000012
【図６】
2004291508.tif 000013
【図７】
2004291508.tif 000014
【図８】
2004291508.tif 000015
【図９】
2004291508.tif 000016
【図１０】
2004291508.tif 000017
【図１１】
2004291508.tif 000018
【図１２】
2004291508.tif 000019
【図１３】
2004291508.tif 000020
【図１４】
2004291508.tif 000021
【図１５】
2004291508.tif 000022
【図１６】
2004291508.tif 000023